(57)【特許請求の範囲】
【請求項１】
ワイヤレスデバイスのための方法であって、該ワイヤレスデバイスは、処理回路を備え、
該方法は、
該処理回路が、８０２．１ｘ認証がサポートされているか否かを示す情報を取得することであって、該情報は、ブロードキャストメッセージ内に含まれている、ことと、
該処理回路が、該ワイヤレスデバイスに格納されたインジケータに基づいてトンネル手順を使用するか否かを決定することと、
該処理回路が、該情報と該ワイヤレスデバイスに格納された該インジケータとに基づいて、少なくとも１つのワイヤレスローカルエリアネットワーク（ＷＬＡＮ）を介して、８０２．１ｘ認証機構または該トンネル手順のうちの少なくとも１つを使用して任意の利用可能なネットワークを識別することと、
該処理回路が、該８０２．１ｘ認証機構または該トンネル手順のうちの少なくとも１つを使用して識別された少なくとも１つのネットワークを示すことと
を包含する、方法。
【請求項２】
前記８０２．１ｘ認証機構は、前記少なくとも１つのＷＬＡＮが８０２．１ｘ認証をサポートする場合に使用される、請求項１に記載の方法。
【請求項３】
前記トンネル手順は、前記少なくとも１つのＷＬＡＮが８０２．１ｘ認証をサポートしていない場合に使用される、請求項１に記載の方法。
【請求項４】
前記情報は、非８０２．１ｘ認証のサポートをさらに示す、請求項１に記載の方法。
【請求項５】
前記インジケータは、ＯＭＡ  ＤＭフォーマットされた情報を含む、請求項１に記載の方法。
【請求項６】
処理回路を備えている装置であって、
該処理回路は、
８０２．１ｘ認証がサポートされているか否かを示す情報を取得することであって、該情報は、ブロードキャストメッセージ内に含まれている、ことと、
ワイヤレスデバイスに格納されたインジケータに基づいてトンネル手順を使用するか否かを決定することと、
該情報と該ワイヤレスデバイスに格納された該インジケータとに基づいて、少なくとも１つのワイヤレスローカルエリアネットワーク（ＷＬＡＮ）を介して、８０２．１ｘ認証機構または該トンネル手順のうちの少なくとも１つを使用して任意の利用可能なネットワークを識別することと、
該８０２．１ｘ認証機構または該トンネル手順を使用して識別された少なくとも１つのネットワークを示すことと
を行うように構成されている、装置。
【請求項７】
前記処理回路は、前記少なくとも１つのＷＬＡＮが８０２．１ｘ認証をサポートする場合に、前記８０２．１ｘ認証機構を使用するようにさらに構成されている、請求項６に記載の装置。
【請求項８】
前記処理回路は、前記少なくとも１つのＷＬＡＮが８０２．１ｘ認証をサポートしていない場合に、前記トンネル手順を使用するようにさらに構成されている、請求項６に記載の装置。
【請求項９】
前記インジケータは、ＯＭＡ  ＤＭフォーマットされた情報を含む、請求項６に記載の装置。
【請求項１０】
ワイヤレスデバイスのための方法であって、該ワイヤレスデバイスは、処理回路を備え、
該方法は、
該処理回路が、少なくとも１つのワイヤレスローカルエリアネットワーク（ＷＬＡＮ）が８０２．１ｘ認証をサポートしているか否かを示す情報を取得することであって、該情報は、ブロードキャストメッセージ内に含まれている、ことと、
該処理回路が、該ワイヤレスデバイスに格納されたインジケータに基づいてトンネル手順を使用するか否かを決定することと、
該処理回路が、該情報と該ワイヤレスデバイスに格納された該インジケータとに基づいて、該少なくとも１つのＷＬＡＮを介して、該トンネル手順を使用して任意の利用可能なネットワークを識別することと、
該処理回路が、該トンネル手順を使用して識別された少なくとも１つのネットワークを示すことと
を包含する、方法。
【請求項１１】
前記インジケータは、ＯＭＡ  ＤＭフォーマットされた情報を含む、請求項１０に記載の方法。
【請求項１２】
処理回路を備えている装置であって、
該処理回路は、
少なくとも１つのワイヤレスローカルエリアネットワーク（ＷＬＡＮ）が８０２．１ｘ認証をサポートしているか否かを示す情報を取得することであって、該情報は、ブロードキャストメッセージ内に含まれている、ことと、
ワイヤレスデバイスに格納されたインジケータに基づいてトンネル手順を使用するか否かを決定することと、
該情報と該ワイヤレスデバイスに格納された該インジケータとに基づいて、該少なくとも１つのＷＬＡＮを介して、該トンネル手順を使用して任意の利用可能なネットワークを識別することと、
該トンネル手順を使用して識別された少なくとも１つのネットワークを示すことと
を行うように構成されている、装置。
【請求項１３】
前記インジケータは、ＯＭＡ  ＤＭフォーマットされた情報を含む、請求項１２に記載の装置。
【発明の詳細な説明】
【技術分野】
【０００１】
本開示は一般に、ネットワーク（例えば、ワイヤレスデバイスのＨＰＬＭＮ（ホーム公衆陸上モバイルネットワーク（Ｈｏｍｅ  Ｐｕｂｌｉｃ  Ｌａｎｄ  Ｍｏｂｉｌｅ  Ｎｅｔｗｏｒｋ）））へのワイヤレスデバイスのアクセスを促進するための手法に関する。より詳細には、本開示は、装置および関連方法であって、その装置および関連方法において、利用可能な場合に第１の認証型接続を介してか、または利用可能な場合に第２の認証型接続を介して、ワイヤレスデバイスがネットワークにアクセスする、装置および関連方法に関する。
【背景技術】
【０００２】
モバイル通信サービスおよび他のワイヤレス通信サービスを提供する様々なセルラー式のシステムおよびセルラー式の特徴を持つシステムが、開発され、かつ、採用されている。ワイヤレスローカルエリアネットワーク（ＷＬＡＮ）は、そのようなセルラー式の特徴を持つ通信システムの例示である。ＷＬＡＮは通常、例えば、Ｗｉ−ｍａｘ、８０２．１１ａ、８０２．１１ｂ、８０２．１１ｇ、８０２．１１ｎ、ＧＥＲＡＮ（汎用無線アクセスネットワーク（Ｇｅｎｅｒｉｃ  Ｒａｄｉｏ  Ａｃｃｅｓｓ  Ｎｅｔｗｏｒｋ））、ＵＴＲＡＮ（汎用地上無線アクセスネットワーク（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ））、ＬＴＥ（ロングタームエボリューション（Ｌｏｎｇ  Ｔｅｒｍ  Ｅｖｏｌｕｔｉｏｎ））、または任意の様々な他のネットワーク技術方式に準拠してインプリメントされたＩＰ（インターネットプロトコル）対応のネットワークである。ＷＬＡＮシステムは一般に、セルラー式のもの（即ち、ＰＬＭＮ（公衆陸上モバイルネットワーク（Ｐｕｂｌｉｃ  Ｌａｎｄ  Ｍｏｂｉｌｅ  Ｎｅｔｗｏｒｋ）））が通常採用されるエリアよりも相対的に小さなエリアにわたって採用されるが、他のＷＬＡＮ技術（例えば（限定されることなく）、Ｗｉ−ｍａｘ）は現在、ＰＬＭＮの有効範囲に匹敵する有効範囲を提供している。ＷＬＡＮは、例えば、ビジネスまたは他のエンタープライズを包含するために採用される。ＷＬＡＮは、ＰＬＭＮもまた動作させるオペレータによって動作させられることがある。
【０００３】
ＷＬＡＮシステムとＰＬＭＮシステムとの間の相互動作は、それらのネットワークシステムの両方において動作可能な移動局を用いてシームレスの通信動作に備える。ＷＬＡＮシステムを介した通信が一般にＰＬＭＮシステムを介した通信よりも費用がかからないため、ＷＬＡＮシステムを介した通信が利用可能な場合に、ＷＬＡＮシステムを介した通信は、一般に好ましい。
【０００４】
ＰＬＭＮシステムにおいて動作する移動局は、ホームネットワーク（即ち、ＨＰＬＭＮ（ホーム公衆陸上モバイルネットワーク））に関連付けられる。特定のサービス（本明細書内ではＨＰＬＭＮサービスと呼ばれる）に対する契約は通常、移動局がそのサービス契約に準拠することを許容されるように行われる。移動局がＨＰＬＭＮにおける直接通信接続能力の内にあるように位置する場合に、そのようなサービスは、ＨＰＬＭＮにおける移動局の認証に基づいて移動局に利用可能にされる。しかし、移動局がＨＰＬＭＮの有効範囲のエリアを越えてローミングする（ｒｏａｍ）場合、または、そうでなければ移動局がＨＰＬＭＮと直接的に通信しない場合、移動局は、別のネットワーク（例えば、ＷＬＡＮ）を介してＨＰＬＭＮにアクセスする。他のネットワークを介して実行される認証メカニズムであって、移動局によるＨＰＬＭＮサービスへのアクセスのための認証メカニズムが必要とされることがある。
【０００５】
最近の注目は、そのようなメカニズムに向けられている。例えば、一連の技術規格の文書ＴＳ２４．２３４は、ワイヤレスデバイス（ＵＥ（ユーザ装置））がＨＰＬＭＮサービスにアクセスすることを許容するための２つのメカニズムを定義する。１つのメカニズムは、ＩＥＥＥ８０２．１ｘ認証の使用に関係がある。また、第２のメカニズムは、８０２．１ｘ認証非対応のＷＬＡＮを介する。第２のメカニズムにおいて、ワイヤレスデバイスは、ＨＰＬＭＮネットワークノード（例えば、ＰＤＧ（パケットデータゲートウェイ）など）に直接的にトンネルする（ｔｕｎｎｅｌ）。ネットワークであって、ワイヤレスデバイスがそのネットワークを介してＨＰＬＭＮサービスへのアクセスを試行することができる、ネットワークの利用可能性は、ワイヤレスデバイスが位置する場所に依存する。
【０００６】
上記の技術標準規格が、２つのメカニズムであって、ワイヤレスデバイスがそれらのメカニズムによってＨＰＬＭＮシステムにアクセスし得る、２つのメカニズムを定義するが、既存の技術標準規格は現在まで、メカニズムの様々な局面を定義していない。例えば、技術標準規格は、それらのメカニズムが相互に組合せられた場合のそれらのメカニズムのはたらきを全く定義していない。
【発明の概要】
【課題を解決するための手段】
【０００７】
本開示は、従って、ワイヤレスデバイスのホームネットワーク（例えば、ホーム公衆陸上モバイルネットワーク（ＨＰＬＭＮ））への、ワイヤレスデバイスのアクセスを促進するための装置および関連方法を有利に提供する。
【０００８】
本開示の一実施形態の動作を通じて、利用可能な場合に第１の認証型接続を介してか、または利用可能な場合に第２の認証型接続を選択可能に介して、ホームネットワークサービスへのワイヤレスデバイスのアクセスを促進するための手法が提供される。
【０００９】
本開示の１つの局面において、ワイヤレスデバイスは、ネットワークブロードキャストのネットワーク識別および他の情報についてモニターする。ブロードキャストの検出を通じて、ワイヤレスデバイスは、通信するための関連したネットワークを介して、その関連したネットワークの潜在的な利用可能性を認識させられる。ネットワークは、例えば、ＳＳＩＤ（サービスセット識別子）値によって識別される。
【００１０】
本開示の別の局面において、ＳＳＩＤリストは、ワイヤレスデバイスにおいて維持され、ワイヤレスデバイスは、ネットワークに関連したＳＳＩＤ値を識別し、そのネットワークは、例えば、ワイヤレスデバイスがＨＰＬＭＮを越えてローミングする場合に、ワイヤレスデバイスによって用いられることが好ましい。１つのインプリメンテーションにおいて、複数のＳＳＩＤリストが維持され、リストのうちの異なるリスト上のＳＳＩＤ値の入力は異なるレベルの使用の選択に関連する。また、１つのインプリメンテーションにおいて、禁止ＳＳＩＤリスト（ｐｒｏｈｉｂｉｔｅｄ−ＳＳＩＤ  ｌｉｓｔ）がさらに維持され、ワイヤレスデバイスが通信することを禁止されるネットワークに関連したＳＳＩＤ値をリストする。また、１つのインプリメンテーションにおいて、ＳＳＩＤリストは、上記のＴＳ２４．２３４の技術規格の中に規定されるリストに対応する。
【００１１】
本開示の別の局面において、ワイヤレスデバイスによるネットワークスキャンの間に検出されたＳＳＩＤ値は、１つ以上のＳＳＩＤリストに格納された値と比較される。ワイヤレスデバイスによって検出されることと、ワイヤレスデバイスの許容されたネットワークのＳＳＩＤリスト上にリストされることとの両方が行われるそれらのＳＳＩＤ値によって、その比較の結果がネットワークを識別する。
【００１２】
本開示の別の局面において、その比較の結果として識別されたネットワークは、８０２．１ｘ対応であるか、または８０２．１ｘ非対応であるかをさらに識別される。８０２．１ｘ対応のネットワークに対する接続および認証のメカニズムは、例えば、技術規格ＴＳ２４．２３４において定義される。また、関連付けられたＳＳＩＤ値によって識別された８０２．１ｘ対応のネットワークの各々に対して、８０２．１ｘ対応のネットワークを介したＨＰＬＭＮへのアクセスの利用可能性が決定される。即ち、１つ以上のネットワークが、潜在的に利用可能であると識別され、かつ、ＳＳＩＤリスト上にある場合に、接続および認証のメカニズムは、さらなるネットワークを介して繰り返される。即ち、その比較の結果として識別された各ネットワークに対して、ネットワークノード（例えば、パケットデータゲートウェイまたはワイヤレスデバイスのホームネットワークの他のエンティティ）とのアクセスの利用可能性の決定が行われる。アクセス可能な場合に、ワイヤレスデバイスは、成功したアクセスの記録を作る。それにより、８０２．１ｘ対応の各ネットワークのリストが生成され、そのネットワークを介したアクセスは、ワイヤレスデバイスのホームネットワークにアクセスするように行われることが可能である。
【００１３】
本開示の別の局面において、リストに格納されたＳＳＩＤを用いる利用可能なネットワークの比較はまた、識別された複数のネットワークのうちの任意のものが８０２．１ｘ非対応のネットワークであるかどうかを識別する。そのような８０２．１ｘ非対応の各ネットワークに対して、ネットワークノード（例えば、ワイヤレスデバイスに関連したＨＰＬＭＮのパケットデータゲートウェイなど）へのトンネル（ｔｕｎｎｅｌ）をセットアップするための試行が選択可能に行われる。トンネリング（ｔｕｎｎｅｌｉｎｇ）が成功した場合、かつ、ＳＳＩＤ識別されたネットワークを介してワイヤレスデバイスがホームネットワークとの接続を行うことができる場合に、ワイヤレスデバイスは、接続試行の成功の記録を行い、そのトンネルは取り外される。２つ以上の８０２．１ｘ非対応のネットワークが識別された場合に、そのメカニズムは、さらなる識別されたネットワークの各々に対して繰り返される。接続が成功のうちに形成された場合に、ワイヤレスデバイスは、成功した接続の記録を行い、そのトンネルを取り外す。
【００１４】
それにより、８０２．１ｘ対応および非８０２．１ｘのネットワークの各々のリスティングが提供され、それらのネットワークは、ワイヤレスデバイスのホームネットワークへの接続に備え、それによりＨＰＬＭＮサービスへのアクセスに備える。
【００１５】
本開示の別の局面において、オペレータポリシーがワイヤレスデバイスにおいて提供され、格納される。そのポリシーは、メモリ要素に格納され、そのメモリ要素は、ワイヤレスデバイスの内部にあるか、またはワイヤレスデバイスに着脱可能に接続できる着脱可能なメモリを形成するかのいずれかである。オペレータポリシーは、ワイヤレスデバイスが８０２．１ｘ非対応のネットワークを介してホームネットワークに接続することを試行すべきかどうかを識別する。ポリシーの他のインプリメンテーションは、オペレータポリシーに依存して、８０２．１ｘのネットワークを最初に試用するか、または非８０２．１ｘのネットワークを最初に試用するかするためのものであり得、８０２．１ｘ非対応のネットワークを介した接続を試行するという選択がなされる。
【００１６】
従って、これらの局面および他の局面において、ワイヤレスデバイスによるネットワークアクセスを促進する装置および関連方法が提供される。利用可能な場合に第１の認証型接続を介したネットワークへのアクセスの利用可能性が決定される。また、利用可能な場合に第２の認証型接続を介して、ネットワークアクセスは、選択可能に試行される。ホームネットワークアクセスの試行に応答するネットワークアクセスの利用可能性が識別される。
例えば、本発明は以下の項目を提供する。
（項目１）
ワイヤレスデバイスによる公衆ネットワークアクセスを促進するアクセスネットワーク方法であって、
該方法は、
第１の認証型接続を介して公衆ネットワークアクセス利用可能性を決定することと、
利用可能な場合に第２の認証型接続を介して公衆ネットワークアクセスを選択可能に試行することと、
該決定することの間、および該第２の認証型接続を介して該公衆ネットワークアクセスを選択可能に試行することの間に、決定された公衆ネットワークアクセス利用可能性に応答するネットワークアクセス利用可能性を識別することと
を含む、方法。
（項目２）
上記第１の認証型を介して上記公衆ネットワークアクセス利用可能性を決定することは、８０２．１ｘアクセス手順を介して該公衆ネットワークアクセス利用可能性を決定することを含む、項目１に記載のアクセス方法。
（項目３）
上記第２の認証型を介して上記公衆ネットワークアクセスを選択可能に試行することは、非８０２．１ｘの直接接続手順を介して該公衆ネットワークアクセスを試行することを含む、項目１に記載のアクセス方法。
（項目４）
上記直接接続手順はトンネル手順を含む、項目３に記載のアクセス方法。
（項目５）
上記第１の認証型接続の利用可能性の情報を得ることをさらに含む、項目１に記載のアクセス方法。
（項目６）
上記得ることは、上記第１の認証型接続の利用可能性の情報のブロードキャストを検出するためにネットワークスキャンを行うことを含む、項目１に記載のアクセス方法。
（項目７）
上記第２の認証型接続の利用可能性の情報を得ることをさらに含む、項目１に記載のアクセス方法。
（項目８）
上記得ることは、上記第２の認証型接続の利用可能性の情報のブロードキャストを検出するためにネットワークスキャンを行うことを含む、項目１に記載のアクセス方法。
（項目９）
上記第２の認証型接続を介して上記公衆ネットワークアクセスを試行するかどうかを決定することをさらに含む、項目１に記載の方法。
（項目１０）
上記公衆ネットワークアクセスを試行するかどうかを決定することは、ワイヤレスデバイスに格納された許容表示にアクセスすることをさらに含む、項目９に記載の方法。
（項目１１）
上記ワイヤレスデバイスに格納された許容表示にアクセスすることは、着脱可能なメモリ要素であって、該ワイヤレスデバイスと連結可能なメモリ要素においてワイヤレスデバイスに格納された許容情報にアクセスすることを含む、項目１０に記載の方法。
（項目１２）
上記ワイヤレスデバイスに格納された許容表示にアクセスすることは、ワイヤレスデバイスの内部メモリ要素においてワイヤレスデバイスに格納された許容情報にアクセスすることを含む、項目１０に記載の方法。
（項目１３）
上記ワイヤレスデバイスの内部メモリにおいてワイヤレスデバイスに格納された許容情報は、ＯＭＡ  ＤＭフォーマットされた情報を含む、項目１２に記載の方法。
（項目１４）
上記選択可能に試行することは、オープンアクセス認証接続を介して公衆ネットワークアクセスを選択可能に試行することを含む、項目１に記載の方法。
（項目１５）
スプラッシュスクリーン認証接続を介して公衆ネットワークアクセスを選択可能に試行する、項目１に記載の方法。
（項目１６）
上記決定することが、ホームネットワークアクセス利用可能性を決定することを含む、項目１に記載の方法。
（項目１７）
ワイヤレスデバイスによる公衆ネットワークアクセスを促進する装置であって、
該装置は、
第１の認証型接続を介して公衆ネットワークアクセス利用可能性を決定するように構成される公衆ネットワークアクセス利用可能性決定器と、
利用可能な場合に第２の認証型接続を介して公衆ネットワークアクセスを選択可能に試行するように構成される公衆ネットワークアクセス試行器と、
該公衆ネットワークアクセス利用可能性決定器によって決定される公衆ネットワークアクセス利用可能性と、該公衆ネットワークアクセス試行器による試行とに応答するネットワーク利用可能性を識別するように構成される識別器と
を含む、装置。
（項目１８）
上記公衆ネットワークアクセス利用可能性決定器が、８０２．１ｘアクセス手順を介して公衆ネットワークアクセス利用可能性を決定するように構成される、項目１７に記載の装置。
（項目１９）
上記公衆ネットワークアクセス試行器が、非８０２．１ｘの直接接続手順を介して公衆ネットワークアクセスを試行するように構成される、項目１７に記載の装置。
（項目２０）
上記直接接続手順はトンネル手順を含む、項目１９に記載の装置。
（項目２１）
許容表示を格納するように構成されるメモリ要素をさらに含み、上記公衆ネットワークアクセス試行器は、該許容表示に応答する第２の認証型接続がある場合に、該第２の認証型接続を介して該公衆ネットワークアクセスを試行するかどうかを選択するように構成される、項目１７に記載の装置。
（項目２２）
上記公衆ネットワークアクセス利用可能性決定器が、ホームネットワークアクセス利用可能性を決定するように構成される、項目１７に記載の装置。
（項目２３）
公衆ネットワークへのワイヤレスデバイスのアクセスを促進する装置であって、
該装置は、
該公衆ネットワークに位置するアクセス許諾器であって、該アクセス許諾器は、第１の認証型接続を介して受信された第１のアクセス要求に応答し、かつ、第２の認証型接続を介して受信された第２のアクセス要求に応答するワイヤレスデバイスのアクセスを選択可能に許諾するように構成される、アクセス許諾器と、
該第１のアクセス要求および該第２のアクセス要求のうちの任意のものを認証するように構成される認証器であって、該アクセス許諾器によるアクセスの許諾は、該認証器による認証に応答して行われる、認証器と
を含む、装置。
（項目２４）
公衆ネットワークへのワイヤレスデバイスのアクセスを促進する方法であって、
該方法は、
第１の認証型接続を介して受信された第１のアクセス要求、および第２の認証型接続を介して受信された第２のアクセス要求のうちの任意のものを検出することと、
該第１のアクセス要求および該第２のアクセス要求のうちの任意のものを認証することと、
該認証することの間に認証された場合に該公衆ネットワークへのワイヤレスデバイスのアクセスを許諾することと
を含む、方法。
【図面の簡単な説明】
【００１７】
【図１】図１は、本開示の一実施形態が動作可能である一例示的通信システムの機能ブロック図を示す。
【図２】図２は、本開示の一実施形態の動作に準拠して生成される一例示的スクリーン表示を示す。
【図３】図３は、本開示の一実施形態の動作のシーケンスを表すシーケンス図を示す。
【図４】図４は、本開示の一実施形態の動作の方法を表す方法フロー図を示す。
【発明を実施するための形態】
【００１８】
従って、最初に図１に目を向けると、１０において、移動局（例えば、通信システムのネットワーク部分と通信するように動作可能である移動局１２）を有するワイヤレス通信システムを形成する配置が一般的に示される。単一の移動局１２のみがその図において示される一方で、通常の配置において、多数の移動局が、通信サービスのパフォーマンスに準拠して通信するように同時に動作可能である。移動局は、ワイヤレスデバイスであり、ＵＥ（ユーザ装置）とも呼ばれることがある。ワイヤレスデバイス、移動局およびＵＥという用語は、区別なく本明細書内に用いられる。
【００１９】
通信システムの例示的ネットワーク部分は、公衆陸上モバイルネットワーク（ＰＬＭＮ）１６とワイヤレスローカルエリアネットワーク（ＷＬＡＮ）との両方を含む。ここで、公衆陸上モバイルネットワークのうちの１つは、ホームネットワーク（ここでは、ＨＰＬＭＮ（ホーム公衆陸上モバイルネットワーク）１６−１）を形成する。他の移動局も、同様にホームネットワーク（必ずしもＨＰＬＭＮ１６である必要はない）に関連付けられる。即ち、移動局は、そのホームネットワークとして、特定のＰＬＭＮ１６に関連付けられる。図１に示される配置が単に例示であることは留意されたい。また、ネットワーク１６がＰＬＭＮ（換言すると、様々なＶＰＬＭＮ（訪れられた公衆陸上モバイルネットワーク（Ｖｉｓｉｔｅｄ  Ｐｕｂｌｉｃ  Ｌａｎｄ  Ｍｏｂｉｌｅ  Ｎｅｔｗｏｒｋ））およびＨＰＬＭＮ（ホーム公衆陸上モバイルネットワーク））であるように示される一方で、これらのネットワークは、他の配置において、必要に応じて、適切なネットワークの再構成を用いた他のネットワークタイプとしてインプリメントされる。
【００２０】
ここで、移動局１２は、マルチモードの移動局であり、マルチモードの移動局は、ＨＰＬＭＮ１６−１との移動局の通信を可能にする通信プロトコルに従うだけでなく、ＰＬＭＮ１６の他のネットワークとも移動局の通信を可能にする通信プロトコルに従った移動局の通信を可能にする。ここで、ネットワーク１６は、ＳＳ７または他の適切なエンティティ２２によって相互接続されるように示される。そして、ＨＰＬＭＮ１６−１はまた、ネットワークノード（ここでは、例示的な目的のためにパケットデータゲートウェイ（ＰＤＧ）２４と呼ばれる）を含むが、ホームネットワークへのアクセスを提供する別のネットワークノードでもあり得る。パケットデータゲートウェイまたは他のノードは、移動局に知られているＩＰアドレスによって識別される。ネットワーク１６も、パケットデータゲートウェイ（単独には示されていない）を含む。移動局がＨＰＬＭＮの有効範囲のエリア内に位置する場合に、移動局は、サービス契約または他の認証に準拠してＨＰＬＭＮと通信することが可能である。また、ＰＬＭＮ１６のオペレータとのローミングまたは他の取決めが整っている場合に、移動局はまた、同じ通信プロトコルを用いて、ＰＬＭＮ１６を介して移動局のＨＰＬＭＮ１６−１と通信することができる。パケットデータゲートウェイまたは他のノードは、例えば、検出器、認証器（ａｕｔｈｅｎｔｉｃａｔｏｒ）およびアクセス許諾器（ａｃｃｅｓｓ  ｇｒａｎｔｏｒ）の機能を含む。
【００２１】
ここで、移動局のマルチモード能力はまた、ＷＬＡＮ２６との移動局の通信を可能にする。ここで、複数のＷＬＡＮは、移動局が位置する場所を含む、重複する有効範囲のエリアとともに示される。ＷＬＡＮによって用いられる通信プロトコルは、例えば、Ｗｉ−ｍａｘ、８０２．１１ａ、８０２．１１ｂ、８０２．１１ｇ、８０２．１１ｎ、ＧＥＲＡＮ、ＵＴＲＡＮ、ＬＴＥ、または任意の他の様々なＩＰもしくは他のネットワークタイプを含む任意の様々な方式である。図１に示される配置において、移動局１２は、ＷＬＡＮ２６の各々によって包含される有効範囲のエリア内に位置する。また、移動局は、任意のＷＬＡＮ２６と通信し、かつ、任意のＷＬＡＮ２６を介して通信することが潜在的に可能である。移動局が１つ以上のＷＬＡＮ２６と通信することが潜在的に可能である一方で、ホームネットワークサービスは、移動局のホームネットワークを介してアクセス可能である。ＷＬＡＮを介して通信が実行される一方で、ＨＰＬＭＮサービスにアクセスするために、アクセスは、ＨＰＬＭＮに対して行われなければならない。図１に示される配置において、移動局は、ＨＰＬＭＮの有効範囲のエリアを越えて存在する。また、他のシナリオにおいて、たとえＨＰＬＭＮの有効範囲のエリア内であっても、移動局との通信がＷＬＡＮを介して実行されることが好ましい理由が存在することがある。
【００２２】
ＷＬＡＮは、網間接続装置（ＩＷＵ）３２を介するか、またはＰＬＭＮ１６を介して、ＨＰＬＭＮとの通信接続可能性において配置可能であるように様々に示される。網間接続装置は、ＷＬＡＮとＰＬＭＮとの間の相互動作を提供する。シグナリングおよびユーザデータはＩＷＵによって変換され、それにより、ネットワーク間で通信される場合に異なるタイプのネットワーク間で通信される場合、シグナリングおよびユーザデータの使用を可能にする。
【００２３】
前に記載された通り、一連の文書である技術規格ＴＳ２４．２３４は、ワイヤレスデバイスがＨＰＬＭＮサービスにアクセスすることを可能にするための２つのメカニズムを定義する。第１のものは、ＩＥＥＥ８０２．１ｘ認証メカニズムを利用する。また、第２のものは、８０２．１ｘ認証非対応のＷＬＡＮを用いる。さらに前に記載された通り、技術標準規格は、それらの２つのメカニズムが相互に組合せられた場合にどのようにはたらくのかを特定していない。
【００２４】
従って、本開示の一実施形態に準拠して、移動局は、移動局によるホームネットワークアクセスを促進する装置４２を含む。その装置は機能的に表され、例えば、処理回路網によって実行可能なアルゴリズムを部分的に含む任意の所望の手法において、インプリメント可能である。その装置は、ここでは受信部４３および送信部４４で形成される送受信器回路網に接続されるように、ここでは示される。送受信器回路網から別個であるように示される一方で、１つのインプリメンテーションにおいて、装置４２の一部は、送受信器回路網の一部とともに具現される。その装置は、第１のホームネットワークアクセス利用可能性決定器５２、第２のホームネットワークアクセス試行器５４および識別器５６を含む。また、前に記載された通り、ネットワーク１６が例示的配置においてＰＬＭＮを含み、かつ、その装置が例示的配置においてＨＰＬＭＮ１６−１へのアクセスを促進するように述べられる一方で、より一般的には、その装置は、任意の選択された公衆ネットワークまたは他のネットワークへのアクセスを促進する。
【００２５】
また、メモリ要素６２が示される。メモリ要素は、例えば、ＰＣカード（例えば、ＰＣＭＣＩＡ）、コンパクトフラッシュ（登録商標）Ｉ（ＣＦ−Ｉ）、コンパクトフラッシュ（登録商標）ＩＩ（ＣＦ−ＩＩ）、スマートメディアカード（ＳＭ／ＳＭＣ）、メモリスティック、メモリスティックデュオ（ＭＳＤ）、メモリスティックプロデュオ（ＭＳＰＤ）、メモリスティックプロ−ＨＧデュオ（ＭＳＰＤＸ）、メモリスティックマイクロｍ２（Ｍ２）、マルチメディアカード（ＭＭＣ）、マルチメディアカード（ＲＳ−ＭＭＣ）、ＭＭＣマイクロカード（ＭＭＣ  ｍｉｃｒｏ）、セキュアデジタルカード（ＳＤ）、ＳｘＳ（ＳｘＳ）、汎用フラッシュストレージ（ｕｎｉｖｅｒｓａｌ  ｆｌａｓｈ  ｓｔｏｒａｇｅ）（ＵＦＳ）、ミニＳＤカード（ｍｉｎｉ  ＳＤ）、マイクロＳＤカード（ｍｉｃｒｏ  ＳＤ）、ＸＤピクチャーカード（ｘＤ）、インテリジェンススティック（Ｉ  Ｓｔｉｃｋ）、シリアルフラッシュモジュール（ＳＦＭ）、マイクロカード（ｍｉｃｒｏ  ｃａｒｄ）またはＮＴカード（ＮＴ  ＮＴ＋）ＵＳＩＭ、ＩＳＩＭ、Ｒ−ＵＲＩＭ、ＵＩＣＣなどで形成される任意の様々な構成である。メモリ要素はまた、例えば、ワイヤレスデバイスの固定記憶装置の場所（ｆｉｘｅｄ  ｓｔｏｒａｇｅ  ｌｏｃａｔｉｏｎ）を含む。
【００２６】
１つのインプリメンテーションにおいて、ＳＳＩＤのリスト項目６４（サービスセット識別子）が、メモリ要素６２において維持される。そのリストは、例えば、技術規格ＴＳ２４．２３４に従っている。あるいは、代替的に、ＳＳＩＤリストは、他の手法において（例えば、別個のリスト上で、例えば最も好ましいネットワークおよび最も好ましくないネットワークを含む、異なる選択レベルのネットワークのＳＳＩＤ値を含むことによって）構成される。
【００２７】
また、インタフェース（ＵＩ）７２がさらに示される。インタフェース７２は、情報の入力および情報の表示を可能にするための、それぞれ入力およびディスプレイを含む。その入力は、例えば、電話のキーパッドおよびＱＷＥＲＴＹキーボードを含む。また、ディスプレイは、例えば、英数字の情報を少なくとも表示する能力がある液晶ディスプレイを含む。
【００２８】
動作中に、ワイヤレスデバイスは、ブロードキャストするＷＬＡＮの有効範囲のエリア内にワイヤレスデバイスが存在するかどうかを決定するために、複数のＷＬＡＮのうちの複数の異なるＷＬＡＮによる情報のブロードキャストに対してスキャンを行う。ブロードキャスト情報の中の検出されたＳＳＩＤ値は、格納された（メモリ要素６２に格納された）ＳＳＩＤ値と比較される。そのブロードキャストは、検出されたＷＬＡＮの８０２．１ｘ対応を示す。あるいは、そうでなければ、ワイヤレスデバイスは、例えば、ワイヤレスデバイスに予め格納された情報によって、ＷＬＡＮの能力について認識させられる。また、ワイヤレスデバイスは、検出された情報を格納された（メモリ要素６２に格納された）情報と比較する。その比較は、ワイヤレスデバイスによって検出された信号をどのネットワークが有するのかを示し、通信するために、ワイヤレスデバイスによってどのネットワークが用いられ、どのネットワークを介することを許容されるのかを示す。
【００２９】
アクセス利用可能性決定器５２は、いずれかのＷＬＡＮが識別された場合に、８０２．１ｘ互換のＷＬＡＮ２６を介してＨＰＬＭＮ１６へのアクセスの通信の利用可能性を決定するように動作する。複数のＷＬＡＮが８０２．１ｘ互換であるとして識別された場合に、決定器は、識別された複数のＷＬＡＮの各々に対する手続きを繰り返し行う。８０２．１ｘ互換のＷＬＡＮの各々を介したアクセス利用可能性の決定は、上記の技術規格ＴＳ２４．２３４の中に規定されるメカニズムに従って実行される。その試行の結果は識別器５６に学習され、複数の指示が識別器５６に提供され、識別器５６は次いで、ユーザインタフェースのディスプレイにその結果が表示されることをもたらす。
【００３０】
アクセス試行器５４は、オペレータポリシーがそのような接続試行を許容する場合に、ＨＰＬＭＮ１６との接続を形成することを試行するように動作する。オペレータポリシーは、ワイヤレスデバイスに提供され、ここではメモリ場所７８に格納されるように示され、試行器５４によってアクセス可能である。メモリ要素６２とは別個であるように機能的に表されている一方で、メモリ場所は、一例示的インプリメンテーションにおいて、メモリ要素６２に物理的に配置される。
【００３１】
例示的動作において、アクセス試行器５４は、８０２．１ｘ非対応の各ＷＬＡＮ（もしあれば）に対して試行し、オペレータポリシーによって認証された場合に、識別されたＷＬＡＮを介してネットワークノード（例えば、ＨＰＬＭＮのパケットデータゲートウェイ２４）へのトンネルをセットアップすることを試行することを試みる。そのトンネルは、そのようなトンネルがパケットデータゲートウェイ２４との接続である場合に、ＷＬＡＮおよびＩＷＵ３２を介して存在する。あるいは、そのトンネルは、そのようなトンネルがＨＰＬＭＮへの連絡である場合に、ＰＬＭＮ１６を介して形成される。終点（例えば、ＰＤＧ２４）のＩＰアドレスはまた、ワイヤレスデバイスに知られている。例えば、ＤＮＳ（ドメインネームシステム）ルックアップに応答するＩＰアドレスの知識が得られる。成功した接続が形成される場合に、ワイヤレスデバイスは次いで、トンネルを取り外し、さらなる非８０２．１ｘの各ＷＬＡＮ（もしあれば）に対して、同じ手順を繰り返して行う。接続試行の結果は、識別器５６に学習され、提供される。識別器は、ユーザインタフェース上のディスプレイに成功した通信パスの接続の表示をもたらす。
【００３２】
ある形態の必要とされる認証の８０２．１ｘ非対応のＷＬＡＮが含み、ワイヤレスデバイスがあて先ＩＰアドレスに到達できないかまたはＦＱＤＮ（登録ドメイン名（Ｆｕｌｌｙ  Ｑｕａｌｉｆｉｅｄ  Ｄｏｍａｉｎ  Ｎａｍｅ））を解決できない場合において、１つのインプリメンテーションにおいて、ワイヤレスデバイスは、ブラウザを開き、かつ、好結果の接続試行を行うための情報を得ることを試行するようにさらに動作可能である。
【００３３】
図２は、インタフェース７２（図１に示されている）のユーザディスプレイ上で表示可能な一例示的スクリーン表示８４を示す。例示的インプリメンテーションにおいて、識別器５６（図１に示されている）は、ディスプレイ８４の表示に接続試行の完了をもたらす。即ち、８０２．１ｘ対応のネットワークおよび８０２．１ｘ非対応のネットワークの両方が検出され、かつ、オペレータポリシーが第２の試行器５４の動作を許容する場合に、そのディスプレイは、試行器５２および５４の両方の完了に基づく情報を表示する。特定の接続および認証型のＷＬＡＮが利用可能でない場合に、その表示は、それに応じてそのような接続のいずれの表示も含まない。ここで、例示的ディスプレイ８４は、３つの列（第１の列８６、第２の列８８および第３の列９２）を示す。第１の列は、ＰＬＭＮの識別を示し、第２の列８８は、ＷＬＡＮの識別を示し、第３の列９２は、利用可能な接続の各々に対するアクセスの方法を示す。
【００３４】
図３は、本開示動作の一実施形態に準拠する、１０２において示される一例示的プロセスを示す。そのプロセスは単に例示である。他のインプリメンテーションにおいて、プロセスステップは、任意の様々な順序において行われる。
【００３５】
例示的プロセスにおいて、ワイヤレスデバイス１２は、複数のＷＬＡＮ２６のうちの複数の異なるＷＬＡＮによる情報のブロードキャスト１０４を検出するためにチャネルをスキャンする。スキャンに準拠して、少なくとも８０２．１ｘ性能の観点において、潜在的に利用可能なＷＬＡＮおよびそれらの認証型についての、ブロック１０４によって示される検出が行われる。検出されたＳＳＩＤ値と格納された（ワイヤレスデバイスに格納された）ＳＳＩＤ値とについての、ブロック１１２によって示される比較が行われる。
【００３６】
また、次いで、ブロック１１４によって示される通り、ホームネットワークへのアクセスの利用可能性が、利用可能であり、かつ、メモリ要素にリストされている８０２．１ｘ対応のＷＬＡＮ（もしあれば）の各々を介して決定される。技術規格ＴＳ２４．２３４の中に規定されるそれらに対応するメカニズムが用いられ、セグメント１１８によって示される。
【００３７】
次いで、ブロック１２２によって示される通り、ワイヤレスデバイスは、オペレータポリシーを調べ、ワイヤレスデバイスが８０２．１ｘ非対応のネットワークを介した接続試行を行うことが許容されているかどうかを決定する。そうである場合に、ブロック１２４によって示される試行が行われ、ここではセグメント１２８によって示されるトンネリング接続が実行される。
【００３８】
成功した接続試行の、ブロック１３２によって示される識別が行われる。また、識別された成功した接続の、ブロック１３４によって示される表示が行われる。ワイヤレスデバイスのユーザは、ディスプレイを見ることによって、通信サービスを行うための通信動作に準拠した特定のＷＬＡＮの使用の選択を行う機会を提供される。下記は、プロセス（例えば、プロセス１０２に含まれるプロセス）を実行するための様々な実施形態の擬似コード（ｐｓｕｅｄｏ−ｃｏｄｅ）のインプリメンテーションである。
【実施例】
【００３９】
（実施形態１）
【００４０】
【化１】
0005468601.tif 000002
【００４１】
【化２】
0005468601.tif 000003
（実施形態２）
【００４２】
【化３】
0005468601.tif 000004
【００４３】
【化４】
0005468601.tif 000005
（実施形態３）
【００４４】
【化５】
0005468601.tif 000006
【００４５】
【化６】
0005468601.tif 000007
（実施形態４）
【００４６】
【化７】
0005468601.tif 000008
【００４７】
【化８】
0005468601.tif 000009
（実施形態５）
【００４８】
【化９】
0005468601.tif 000010
【００４９】
【化１０】
0005468601.tif 000011
図４は、本開示の一実施形態の動作の方法を表す、１５４において一般的に示される方法フロー図を示す。その方法は、ワイヤレスデバイスによるホームネットワークアクセスを促進する。
【００５０】
また、最初に、ブロック１５６によって示される通り、利用可能な場合に第１の認証型接続を介して公衆ネットワークアクセスの利用可能性が決定される。また、次いで、ブロック１６２によって示される通り、利用可能な場合に第２の認証型接続を介して公衆ネットワークアクセスが選択可能に試行される。また、次いで、ブロック１６４によって示される通り、公衆ネットワークアクセス試行に応答して、ネットワークアクセス利用可能性が識別される。公衆ネットワークアクセスは、例えば、移動局のホームネットワーク（例えば、移動局のＨＰＬＭＮ）についてのホームネットワークアクセスを含む。
【００５１】
それにより、８０２．１ｘ対応であるＷＬＡＮおよび８０２．１ｘ非対応であるワイヤレスローカルエリアネットワークの両方を介してワイヤレスデバイスをローミングすることによってホームネットワークアクセスを促進するための手法が提供される。
【００５２】
今、本開示の好ましい実施形態が特定の度合いで述べられた。その詳述は、本開示をインプリメントするための好ましい実施例についてのものであり、好ましい実施例の詳述が本開示の範囲を限定することは必ずしも意図されていない。本開示の範囲は、次に続く特許請求の範囲によって定義される。
【図１】
0005468601.tif 000012
【図２】
0005468601.tif 000013
【図３】
0005468601.tif 000014
【図４】
0005468601.tif 000015